(57)【特許請求の範囲】
【請求項１】
第１の操作部および第２の操作部を有し、各操作部の操作に伴い異なる方向へ回動する複数の操作部材と、
これら各操作部材に対応して設けられ、第１の操作部および第２の操作部の操作に伴い標準状態および非標準状態に切換わるスイッチ手段とを備え、
前記複数の第１の操作部は、前記凹条部内に相互に隣接して一列に配置され、
前記複数の第１の操作部の表面は、前記第２の操作部の非操作状態で前記凹条部の内底面と略同一面に配置され前記第２の操作部の操作に伴い前記凹条部の内底面から突出することを特徴とするスイッチ装置。
【請求項２】
第１の操作部および第２の操作部を有し、各操作部の操作に伴い異なる方向へ回動する複数の操作部材と、
これら各操作部材に対応して設けられ、第１の操作部および第２の操作部の操作に伴い状態が切換わるスイッチ手段とを備え、
前記複数の第１の操作部は、第１の凹条部内に配置され、前記第２の操作部の操作に伴い第１の凹条部の内底面から突出し、
前記複数の第２の操作部は、第２の凹条部内に配置され、初期状態で第２の凹条部の内底面から突出していることを特徴とするスイッチ装置。
【請求項３】
第１の凹条部および第２の凹条部を判別するための目印を有することを特徴とする請求項２記載のスイッチ装置。
【請求項４】
凹条部の内底面は曲線状をなし、
複数の操作部材は、凹条部の内底面に沿って配置されていることを特徴とする請求項１または２記載のスイッチ装置。
【請求項５】
指が触れることに基づいて検出信号を出力する複数のタッチスイッチを備え、
前記複数のタッチスイッチは凹条部内に配置されていることを特徴とするスイッチ装置。
【請求項６】
凹条部の内底面は曲線状をなし、
複数のタッチスイッチは、凹条部の内底面に沿って配置されていることを特徴とする請求項５記載のスイッチ装置。
【発明の詳細な説明】
【０００１】
【発明の属する技術分野】
本発明は、複数のスイッチを有するスイッチ装置に関する。
【０００２】
【発明が解決しようとする課題】
例えば自動車においては、同一の操作パネルに複数の操作部材が設けられており、複数の操作部材を選択的に押込み操作すると、サスペンション，オートマチックトランスミッション等がノーマルモードおよびスポーツモード間で切換えられるように構成されていた。このため、サスペンション，オートマチックトランスミッション等をノーマルモードに切換えるにあたって、複数の操作部材を視認しながら個別に操作する必要があるので、操作性が悪く、操作時間がかかっていた。
【０００３】
本発明は上記事情に鑑みてなされたものであり、その目的は、操作性の向上を図り得るスイッチ装置を提供することである。
【０００４】
【課題を解決するための手段】
請求項１記載のスイッチ装置は、第１の操作部および第２の操作部を有し各操作部の操作に伴い異なる方向へ回動する複数の操作部材と、これら各操作部材に対応して設けられ第１の操作部および第２の操作部の操作に伴い標準状態および非標準状態に切換わるスイッチ手段とを備え、前記複数の第１の操作部が前記凹条部内に相互に隣接して一列に配置され、前記複数の第１の操作部の表面が前記第２の操作部の非操作状態で前記凹条部の内底面と略同一面に配置され前記第２の操作部の操作に伴い前記凹条部の内底面から突出するところに特徴を有する。
【０００５】
上記手段によれば、複数の第２の操作部を選択的に操作し、所定のスイッチ手段を非標準状態に切換えると、所定の第１の操作部が凹条部の内底面から突出する。このため、凹条部に沿って指を動かすと、複数の第１の操作部が一度に操作され、複数のスイッチ手段が標準状態に切換わる。従って、複数の操作部材を視認しながら個別に操作する必要がなくなるので、操作性が向上し、その結果、操作時間が短縮される。
【０００６】
請求項２記載のスイッチ装置は、第１の操作部および第２の操作部を有し各操作部の操作に伴い異なる方向へ回動する複数の操作部材と、これら各操作部材に対応して設けられ第１の操作部および第２の操作部の操作に伴い状態が切換わるスイッチ手段とを備え、前記複数の第１の操作部が第１の凹条部内に配置され、前記第２の操作部の操作に伴い第１の凹条部の内底面から突出し、前記複数の第２の操作部が第２の凹条部内に配置され、初期状態で第２の凹条部の内底面から突出しているところに特徴を有する。
【０００７】
上記手段によれば、第２の凹条部に沿って指を動かすと、第２の凹条部の内底面から突出する複数の第２の操作部が一度に操作され、複数のスイッチ手段の状態が一度に切換わる。また、第１の凹条部に沿って指を動かすと、第１の凹条部の内底面から突出する複数の第１の操作部が一度に操作され、複数のスイッチ手段の状態が一度に切換わる。このため、複数の操作部材を視認しながら個別に操作する必要がなくなるので、操作性が向上し、操作時間が短縮される。
【０００８】
請求項３記載のスイッチ装置は、第１の凹条部および第２の凹条部を判別するための目印を有するところに特徴を有する。
上記手段によれば、目印に基づいて第１の凹条部および第２の凹条部を判別し、第１の凹条部に沿って指を動かしたり、第２の凹条部に沿って指を動かしたりできるので、操作性が一層向上する。
【０００９】
請求項４記載のスイッチ装置は、凹条部の内底面が曲線状をなし、複数の操作部材が凹条部の内底面に沿って配置されているところに特徴を有する。
上記手段によれば、直線状をなす凹条部の内底面に沿って複数の操作部材を配置する場合に比べ、凹条部の長さ寸法が短縮されるので、装置が小形化される。
【００１０】
請求項５記載のスイッチ装置は、指が触れることに基づいて検出信号を出力する複数のタッチスイッチを備え、前記複数のタッチスイッチが凹条部内に配置されているところに特徴を有する。
上記手段によれば、凹条部に沿って指を動かすと、凹条部内に位置する複数のタッチスイッチに指が触れ、複数のタッチスイッチから検出信号が出力される。このため、複数のタッチスイッチを視認しながら個別に操作する必要がなくなるので、操作性が向上し、操作時間が短縮される。
【００１１】
請求項６記載のスイッチ装置は、凹条部の内底面が曲線状をなし、複数のタッチスイッチが凹条部の内底面に沿って配置されているところに特徴を有する。  上記手段によれば、直線状をなす凹条部に沿って複数のタッチスイッチを配置する場合に比べ、凹条部の長さ寸法が短縮されるので、装置が小形化される。
【００１２】
【発明の実施の形態】
以下、本発明の第１実施例を図１ないし図４に基づいて説明する。尚、本実施例は、本発明を自動車のシフトレバーモジュールに適用したものである。自動車の車室内には２つのフロントシート（図示せず）が配設されており、これらフロントシート間には、図１に示すように、フロアコンソール１が配設されている。このフロアコンソール１は合成樹脂を基材とするものであり、シフトレバー２の下端部はフロアコンソール１の上板部を貫通し、フロアコンソール１内で回動可能に支持されている。
【００１３】
フロアコンソール１の上板部には、軸３（図３参照）を介して操作ノブ４Ａ〜４Ｄが回動可能に取付けられている。これら操作ノブ４Ａ〜４Ｄは、図３に示すように、第１の操作部に相当するオフ操作部４ａおよび第２の操作部に相当するオン操作部４ｂを一体に有するものであり、オフ操作部４ａの上面とオン操作部４ｂの上面との間には段差が形成されている。尚、操作ノブ４Ａ〜４Ｄは操作部材に相当するものであり、合成樹脂を基材に形成されている。
【００１４】
フロアコンソール１の上板部には、図１に示すように、凹条部１ａが形成されており、この凹条部１ａは、フロアコンソール１の上板部に対して下方へ凹んでいる。そして、操作ノブ４Ａ〜４Ｄのオフ操作部４ａは凹条部１ａ内に位置しており、操作ノブ４Ａ〜４Ｄのオン操作部４ｂを押圧操作すると、図３に二点鎖線で示すように、操作ノブ４Ａ〜４Ｄが軸３を中心に矢印Ａ方向へ回動し、オフ操作部４ａの上面が凹条部１ａの内底面から突出したオン状態に切換わる。
【００１５】
この状態で、操作ノブ４Ａ〜４Ｄのオフ操作部４ｂを押圧操作すると、実線で示すように、操作ノブ４Ａ〜４Ｄが反矢印Ａ方向へ回動し、オフ操作部４ａの上面が凹条部１ａの内底面と略面一になり、且つ、オン操作部４ｂの上面がフロアコンソール１の上板部から突出したオフ状態（初期状態）に切換わる。
【００１６】
操作ノブ４Ａ〜４Ｄの下面には、円筒状をなす収容部４ｃが一体形成されており、これら各収容部４ｃ内には節度ばね４ｄが収容されている。これら各節度ばね４ｄは圧縮コイルばねからなるものであり、各節度ばね４ｄの下端部には係合子４ｅが取付けられている。
【００１７】
フロコンソール１内には基板５が配設されており、この基板５には、操作ノブ４Ａ〜４Ｄに対応して節度部材６が固定されている。これら各節度部材６は、凹状をなすオフ係合部６ａおよびオン係合部６ｂを有するものであり、操作ノブ４Ａ〜４Ｄのオン操作部４ｂを押圧操作すると、二点鎖線で示すように、係合子４ｅがオン係合部６ｂに係合し、オフ操作部４ａを押圧操作すると、実線で示すように、係合子４ｅがオフ係合部６ａに係合する。これにより、操作ノブ４Ａ〜４Ｄがオン状態およびオフ状態に保持される。
【００１８】
尚、各オフ操作部４ａの周面は、図２に斜線αで示すように、赤等の目立つ色に着色されており、オン状態では着色部分が露出し、オン状態であることが報知されるようになっている。
【００１９】
基板５には、図３に示すように、操作ノブ４Ａ〜４Ｄの下側に位置してスイッチ機構７が実装されている。これら各スイッチ機構７はスイッチ手段に相当するものであり、オフ操作部４ａの下側に位置するスイッチ本体７ａおよびオン操作部４ｂの下側に位置するスイッチ本体７ｂから構成されている。尚、各スイッチ本体７ａおよび７ｂは、自己復帰形の押し釦スイッチからなるものである。
【００２０】
操作ノブ４Ａ〜４Ｄには、オフ操作部４ａおよびオフ操作部４ｂの下面に位置してオフ押圧部４ｆおよびオン押圧部４ｇが一体形成されており、二点鎖線で示すオン状態では、オン押圧部４ｇによりスイッチ本体７ｂの操作部７ｃが押圧され、スイッチ本体７ｂがオンされる。また、実線で示すオフ状態では、オフ押圧部４ｆによりスイッチ本体７ａの操作部７ｃが押圧され、スイッチ本体７ａがオンされる。
【００２１】
複数のスイッチ本体７ａおよび７ｂは車載のＥＣＵ（図示せず）に接続されている。このＥＣＵはマイクロコンピュータを主体に構成されたものであり、操作ノブ４Ａの下側に位置するスイッチ本体７ｂのオン，操作ノブ４Ｂの下側に位置するスイッチ本体７ｂのオンを検出すると、図４に示すように、サスペンション，オートマチックトランスミッションをスポーツモードに切換え（非標準状態に切換え）、操作ノブ４Ｃの下側に位置するスイッチ本体７ｂのオン，操作ノブ４Ｄの下側に位置するスイッチ本体７ｂのオンを検出すると、トラクションコントロール，オーバードライブ機能をオフする（非標準状態に切換える）。
【００２２】
また、ＥＣＵは、操作ノブ４Ａの下側に位置するスイッチ本体７ａのオン，操作ノブ４Ｂの下側に位置するスイッチ本体７ａのオンを検出すると、サスペンション，オートマチックトランスミッションをノーマルモードに切換え（標準状態に切換え）、操作ノブ４Ｃの下側に位置するスイッチ本体７ａのオン，操作ノブ４Ｄの下側に位置するスイッチ本体７ａのオンを検出すると、トラクションコントロール，オーバードライブ機能をオンする（標準状態に切換える）。
【００２３】
尚、操作ノブ４Ａ〜４Ｄのオン操作部４ｂには、図１に示すように、上述した機能「ＳＵＳ．／ＳＰＯＲＴ（サスペンションをスポーツモードに切換える）」，「ＴＲＡＮＳＭ．／ＳＰＯＲＴ（オートマチックトランスミッションをスポーツモードに切換える）」，「ＴＣＳ／ＯＦＦ（トラクションコントロールをオフする）」，「ＯＤ／ＣＵＴ（オーバードライブ機能をオフする）」が記されている。
【００２４】
次に上記構成の作用について説明する。走行の目的に応じて、操作ノブ４Ａ〜４Ｄのオン操作部４ｂを選択的に押圧操作すると、操作ノブ４Ａ〜４Ｄが矢印Ａ方向へ回動し、オフ操作部４ａが凹条部１ａの内底面から突出したオン状態に保持される。これにより、所定のスイッチ本体７ｂの操作部７ｃがオン押圧部４ｇにより押圧され、所定のスイッチ本体７ｂがオン状態に保持される。すると、ＥＣＵが、所定のスイッチ本体７ｂのオンを検出し、所定の機能を非標準状態に切換える。
【００２５】
この状態で、凹条部１ａに沿って指を動かすと、凹条部１ａの内底面から突出する所定のオフ操作部４ａが押圧される。すると、所定の操作ノブ４Ａ〜４Ｄが反矢印Ａ方向へ回動し、オン操作部４ｂがフロアコンソール１の上板部から突出し且つオフ操作部４ａが凹条部１ａの内底面と面一なオフ状態に保持される。これにより、所定のスイッチ本体７ａの操作部７ｃがオフ押圧部４ｆにより押圧され、所定のスイッチ本体７ａがオン状態に保持される。そして、ＥＣＵが、所定のスイッチ本体７ａのオンを検出し、所定の機能を標準状態に切換える。
【００２６】
上記実施例によれば、操作ノブ４Ａ〜４Ｄのオフ操作部４ａを凹条部１ａ内に配置し、オン操作部４ｂの操作に伴い凹条部１ａの内底面から突出させた。このため、凹条部１ａに沿って指を動かすだけで、複数のオフ操作部４ａを一度に操作し、複数のスイッチ機構７を標準状態に切換えることができる。従って、複数のオフ操作部４ａを視認しながら個別に押圧操作する必要がなくなるので、操作性が向上し、操作時間が短縮される。
【００２７】
ところで、自動車においては、操作ノブ４Ａ〜４Ｄの機能が分からないため、特定の機能が非標準状態になっているときに、該機能を解除して良いかを判断できないことがある。これに対して上記実施例では、操作ノブ４Ａ〜４Ｄを標準状態にリセットするオフ操作部４ａを同一の凹条部１ａ内に配置した。このため、ユーザーが操作ノブ４Ａ〜４Ｄの機能を理解していない場合でも、凹条部１ａに沿って指を動かすだけで、特定の機能をキャンセルすることができる。
【００２８】
尚、上記第１実施例においては、操作ノブ４Ａ〜４Ｄの機能（スイッチ機構７の機能）として、オートマチックトランスミッションの切換え等を例示したが、これに限定されるものではなく、例えばウインター機能（雪道でセカンド発進させるための機能）のオンオフ，アダクションダンピング（サスペンションのばね圧を自動調節する機能）のオンオフ等であっても良い。
【００２９】
また、上記第１実施例においては、操作ノブ４Ａ〜４Ｄの操作に基づいてスイッチ本体７ａおよび７ｂの操作部７ｃを押圧する構成としたが、これに限定されるものではなく、例えば、オフ押圧部１０ｆの下面およびオン押圧部１０ｇ下面に可動接点を取付けると共に、基板５に固定接点を取付け、操作ノブ４Ａ〜４Ｄの操作に伴い、可動接点を固定接点に対して接離させる構成としても良い。
【００３０】
次に本発明の第２実施例を図５ないし図７に基づいて説明する。尚、本実施例は、本発明を照明装置に適用したものである。まず、図７において、食堂の天井板には、複数の照明灯８が５段および５列に取付けられている。また、操作ボックス９（図６参照）の表板部には、図５に示すように、合成樹脂からなる複数の操作ノブ１０が設けられている。これら操作ノブ１０は、複数の照明灯８と同一のレイアウトで５段および５列に配置されたものであり、図６に示すように、操作ボックス９に軸１１を介して回動可能に取付けられている。
【００３１】
各操作ノブ１０は操作部材に相当するものであり、オフ操作部１０ａおよびオン操作部１０ｂを有している。これらオフ操作部１０ａおよびオン操作部１０ｂは第１の操作部および第２の操作部に相当するものであり、オフ操作部１０ａの表面およびオン操作部１０ｂの表面は、高さ方向に位置ずれし、図５に示すように、オフ操作部１０ａの表面およびオン操作部１０ｂの表面には「ＯＦＦ」および「ＯＮ」の文字が記されている。
【００３２】
各操作ノブ１０の下面には、図６に示すように、円筒状をなす収容部１０ｃが一体形成されており、これら各収容部１０ｃ内には節度ばね１０ｄが収容されている。これら各節度ばね１０ｄは圧縮コイルばねからなるものであり、各節度ばね１０ｄの先端部には係合子１０ｅが取付けられている。
【００３３】
操作ボックス９内には基板１２が配設されており、この基板１２には、複数の操作ノブ９に対応して節度部材１３が固定されている。これら各節度部材１３は、凹状をなすオフ係合部１３ａおよびオン係合部１３ｂを有するものであり、各操作ノブ１０のオン操作部１０ｂを押圧操作すると、二点鎖線で示すように、操作ノブ１０が軸１１を中心に矢印Ｂ方向へ回動し、係合子１０ｅがオン係合部１３ｂに係合する。これにより、各操作ノブ１０が矢印Ｂ方向へ回動したオン状態に保持される。
【００３４】
この状態で、各操作ノブ１０のオフ操作部１０ａを押圧操作すると、実線で示すように、操作ノブ１０が軸１１を中心に反矢印Ｂ方向へ回動し、係合子１０ｅがオフ係合部１３ａに係合する。これにより、各操作ノブ１０が反矢印Ｂ方向へ回動し、略水平なオフ状態（初期状態）に保持される。
【００３５】
基板１２には、複数のオン操作部１０ｂに対応してスイッチ本体１４が実装されている。これら各スイッチ本体１４はスイッチ手段に相当するものであり、自己復帰形の押し釦スイッチにより構成されている。そして、各操作ノブ１０には押圧部１０ｆが形成されており、オン操作部１０ｂを押圧操作すると、二点鎖線で示すように、押圧部１０ｆによりスイッチ本体１４の操作部１４ａが押圧され、スイッチ本体１４がオンされる。また、各オフ操作部１０ａを押圧操作すると、実線で示すように、押圧部１０ｆから操作部１４ａに作用していた押圧力が除去され、スイッチ本体１４がオフされる。
【００３６】
操作ボックス９の表板部には、図５に示すように、第１の凹条部に相当するオフ凹条部９ａが５段に形成されている。これら各オフ凹条部９ａは、図６に示すように、操作ボックス９の表板部に対して内方へ凹んだものであり、図５に示すように、各段に位置する複数のオフ操作部１０ａは、同一のオフ凹条部９ａ内に配置され、図６に二点鎖線で示すように、オン状態において、表面がオフ凹条部９ａの内底面から突出している。
【００３７】
操作ボックス９の表板部には、図５に示すように、第１の凹条部に相当するオフ凹条部９ｂが５列に形成されている。これら各オフ凹条部９ｂは、上述のオフ凹条部９ａと同様、操作ボックス９の表板部に対して内方へ凹んだものであり、各列に位置する複数のオフ操作部１０ａは、同一のオフ凹条部９ｂ内に配置され、オン状態において、表面がオフ凹条部９ｂの内底面から突出している。
【００３８】
操作ボックス９の表板部には、第２の凹条部に相当するオン凹条部９ｃが５段に形成されている。これら各オン凹条部９ｃは、図６に示すように、操作ボックス９の表板部に対して内方へ凹んだものであり、図５に示すように、各段に位置する複数のオン操作部１０ｂは、同一のオン凹条部９ｃ内に配置され、図６に実線で示すように、オフ状態において、表面がオン凹条部９ｃの内底面から突出している。
【００３９】
操作ボックス９の表板部には、図５に示すように、第２の凹条部に相当するオン凹条部９ｄが５列に形成されている。これら各オン凹条部９ｄは、オン凹条部９ｃと同様、操作ボックス９の表板部に対して内方へ凹んだものであり、各列に位置する複数のオン操作部１０ｂは、同一のオン凹条部９ｄ内に配置され、オフ状態において、表面がオン凹条部９ｄの内底面から突出している。
【００４０】
各オフ凹条部９ａおよび９ｂの内底面には、両端部に位置してオフマーク１５ａが形成され、各オン凹条部９ｃおよび９ｄの内底面には、両端部に位置してオンマーク１５ｂが形成されている。これらオフマーク１５ａおよびオンマーク１５ｂは目印に相当するものであり、各オフマーク１５ａは、２つの凸部により構成され、各オンマーク１５ｂは、１つの凸部により構成されている。
【００４１】
次に上記構成の作用について説明する。施設の利用状況に応じて、所定段のオン凹条部９ｃ，所定列のオン凹条部９ｄに沿って指を動かすと、オン凹条部９ｃ，９ｄの内底面から突出する複数のオン操作部１０ｂが一度に押圧される。すると、所定段，所定列に位置する複数の操作ノブ１０が一度に矢印Ｂ方向へ回動し、所定段，所定列に位置する複数のスイッチ本体１４が一度にオンされる。これにより、所定段，所定列に位置する複数の照明灯８が一度にオンされる。
【００４２】
この状態で、所定段のオフ凹条部９ａ，所定列のオフ凹条部９ｂに沿って指を動かすと、オフ凹条部９ａ，９ｂの内底面から突出する複数のオフ操作部１０ａが一度に押圧される。すると、所定段，所定列に位置する複数の操作ノブ１０が一度に反矢印Ｂ方向へ回動し、所定段，所定列に位置する複数のスイッチ本体１４が一度にオフされる。これにより、所定段，所定列に位置する複数の照明灯８が一度にオフされる。
【００４３】
上記実施例によれば、複数のオフ操作部１０ａをオフ凹条部９ａ，９ｂ内に配置し、オン操作部１０ｂの操作に伴いオフ凹条部９ａ，９ｂの内底面から突出させた。このため、オフ凹条部９ａ，９ｂに沿って指を動かすだけで、複数のオフ操作部１０ａを一度に操作し、複数のスイッチ本体１４をオフすることができる。しかも、複数のオン操作部１０ｂをオン凹条部９ｃ，９ｄ内に配置し、初期状態（オフ状態）でオン凹条部９ｃ，９ｄの内底面から突出させた。このため、オン凹条部９ｃ，９ｄに沿って指を動かすだけで、複数のオン操作部１０ｂを一度に操作し、複数のスイッチ本体１４をオンすることができる。従って、複数の操作ノブ１０を視認しながら個別に操作する必要がなくなるので、操作性が向上し、操作時間が短縮される。
【００４４】
また、各オフ凹条部９ａ，９ｂ内にオフマーク１５ａを形成すると共に、各オン凹条部９ｃ，９ｄ内にオンマーク１５ｂを形成した。このため、暗闇の中でも、オフマーク１５ａの触感に基づいてオフ凹条部９ａ，９ｂを判別したり、オンマーク１５ｂの触感に基づいてオン凹条部９ｃ，９ｄを判別することができるので、操作性が一層向上する。
【００４５】
尚、上記第２実施例においては、オフマーク１５ａをオフ凹条部９ａ，９ｂ内に形成し、オンマーク１５ｂをオン凹条部９ｃ，９ｄ内に形成したが、これに限定されるものではなく、例えばオフマーク１５ａをオフ凹条部９ａ，９ｂの近傍に形成し、オンマーク１５ｂをオン凹条部９ｃ，９ｄの近傍に形成するようにしても良い。
【００４６】
また、上記第２実施例においては、オフマーク１５ａを２つの凸部から構成し、オンマーク１５ｂを１つの凸部から形成したが、これに限定されるものではなく、例えばオフマーク１５ａを２つの凹部から構成し、オンマーク１５ｂを１つの凹部から形成しても良い。
【００４７】
また、上記第２実施例においては、オフ凹条部９ａ，９ｂの両端部にオフマーク１５ａを設け、オン凹条部９ｃ，９ｄの両端部にオンマーク１５ｂを設けたが、これに限定されるものではなく、例えば、オフ凹条部９ａ，９ｂの一端部にオフマーク１５ａを設け、オン凹条部９ｃ，９ｄの一端部にオンマーク１５ｂを設けても良い。
【００４８】
また、上記第２実施例においては、操作ノブ１０の操作に基づいてスイッチ本体１４の操作部１４ａを押圧する構成としたが、これに限定されるものではなく、例えば、オン押圧部１０ｆの下面に可動接点を取付けると共に、基板１２に固定接点を取付け、操作ノブ１０の操作に伴い、可動接点を固定接点に対して接離させる構成としても良い。
【００４９】
また、上記第１〜第２実施例においては、操作ノブ４Ａ〜４Ｄ，複数の操作ノブ１０と異なる形態で状態の切換えを行う操作ノブがある場合、次のように構成すると良い。即ち、凹条部１ａ，９ａ〜９ｄの底面を、略直線状をなす一般面と、該一般面に対して段差を有する段差面とから構成する。そして、オフ状態では、操作ノブ４Ａ〜４Ｄのオフ操作部４ａの表面，操作ノブ１０のオフ操作部１０ａの表面を一般面に対して略面一にし、別の操作ノブのオフ操作部の表面を段差面に対して略面一にする。この構成の場合、別の操作ノブのオン操作部が操作されたときには、該操作ノブのオフ操作部が段差面から突出するが、凹条部１ａ，９ａ〜９ｄの底面に沿って指を動かしても、該オフ操作部に指が触れないので、別の操作ノブのみがオフ状態に保持される。
【００５０】
次に本発明の第３実施例を図８に基づいて説明する。尚、上記第２実施例と同一の部材については同一の符号を付して説明を省略し、以下、異なる部材についてのみ説明を行う。操作ボックス（図示せず）の表板部には、複数の凹条部１６が５段および５列に形成されている。
【００５１】
操作ボックスの表板部には複数のタッチスイッチ１７が配設されている。これら各タッチスイッチ１７は静電容量式の近接スイッチからなるものであり、検出部１７ａが２本の凹条部１６の交差部分に位置するように、複数の照明灯８と同様のレイアウトで配置されている。また、操作ボックス１３内には制御装置（図示せず）が配設されている。この制御装置はマイクロコンピュータを主体に構成されたものであり、制御装置には、複数の照明灯８がリレー（図示せず）を介して接続されている。
【００５２】
次に上記構成の作用について説明する。所定の凹条部１６に沿って指を動かすと、該凹条部１６内に位置する複数の検出部１７ａに指が触れ、所定のタッチスイッチ１７から検出信号が出力される。すると、制御装置が所定のリレーをオンすることに基づいて所定の照明灯８に電源を供給し、所定の照明灯８を点灯させる。
【００５３】
この状態で、所定の凹条部１６に沿って指を動かすと、該凹条部１６内に位置する複数の検出部１７ａに指が触れ、所定のタッチスイッチ１７から検出信号が出力される。すると、制御装置が所定のリレーをオフすることに基づいて所定の照明灯８に対する電源の供給を停止し、所定の照明灯８を消灯する。
【００５４】
上記実施例によれば、複数のタッチスイッチ１７を凹条部１６内に配置した。このため、凹条部１６に沿って指を動かすだけで、複数のタッチスイッチ１７の検出部１７ａに一度に指を触れることができる。従って、複数のタッチスイッチ１７を視認しながら個別にタッチする必要がなくなるので、操作性が向上し、操作時間が短縮される。
【００５５】
尚、上記第３実施例においては、複数のタッチスイッチ１７と異なる形態で状態の切換えを行うタッチスイッチがある場合、凹条部１６の底面を、略直線状をなす一般面と該一般面に対して段差を有する段差面とから構成し、タッチスイッチ１７を一般面に配置すると共に、別のタッチスイッチを段差面に配置すれば良い。
【００５６】
また、上記第１〜第３実施例においては、凹条部１ａ，９ａ〜９ｄ，１６をフロアコンソール１，操作ボックス９，操作ボックスの内方へ凹む形状としたが、これに限定されるものではなく、例えば、フロアコンソール１の上板部，操作ボックス９の表板部，操作ボックスの表板部に一対の凸条部を形成し、一対の凸条部により挟まれた部分を凹条部としても良い。この構成の場合、各凸条部は、１本の凸部により構成する必要はなく、指が逸脱しない程度の間隔を存する複数の凸部により構成しても良い。
【００５７】
また、上記第１〜第３実施例においては、凹条部１ａ，９ａ〜９ｄ，１６の内底面を略直線状に形成したが、これに限定されるものではなく、例えば滑らかな曲線状に形成し、操作ノブ４Ａ〜４Ｄのオフ操作部４ａ，操作ノブ１０のオフ操作部１０ａおよびオン操作部１０ｂ，タッチスイッチ１７の検出部１７ａを曲線状の内底面に沿って配置しても良い。図９は、タッチスイッチ１７を円弧状（曲線状）をなす凹条部１６の内底面に沿って配置した本発明の第４実施例を示すものである。この構成の場合、凹条部１６の長さ寸法Ｈが短縮されるので、装置が小形化される利点がある。
【００５８】
尚、上記第４実施例においては、凹条部の内底面を円弧状に形成したが、これに限定されるものではなく、例えば、幅寸法Ｈを大きくして内底面の曲率を大きくしたり、あるいは、幅寸法Ｈを小さくして内底面の曲率を小さくしても良く、要は、内底面に沿って指を操作できるような曲線状であれば良い。
【００５９】
また、上記第４実施例においては、複数のタッチスイッチ１７と異なる形態で状態の切換えを行うタッチスイッチがある場合、凹条部１６の内底面を、滑らかな曲線状をなす一般面と該一般面に対して段差を有する段差面とから構成し、タッチスイッチ１７を一般面に配置すると共に、別のタッチスイッチを段差面に配置すれば良い。
【００６０】
また、上記第３および第４実施例においては、タッチスイッチ１７として静電容量式の近接スイッチを用いたが、これに限定されるものではなく、例えば、光電式の近接スイッチを用いても良い。
【００６１】
【発明の効果】
以上の説明から明らかなように、本発明のスイッチ装置は次の効果を奏する。請求項１記載の手段によれば、凹条部に沿って指を動かすだけで、複数の第１の操作部を一度に操作し、複数のスイッチ手段を標準状態に切換えることができる。このため、複数の操作部材を視認しながら個別に操作する必要がなくなるので、操作性が向上し、操作時間が短縮される。
【００６２】
請求項２記載の手段によれば、第１の凹条部および第２の凹条部に沿って指を動かすだけで、複数の第１の操作部および複数の第２の操作部を一度に操作し、複数のスイッチ手段の状態を切換えることができる。このため、複数の操作部材を視認しながら個別に操作する必要がなくなるので、操作性が向上し、操作時間が短縮される。
請求項３記載の手段によれば、目印に基づいて第１の凹条部および第２の凹条部を判別することができるので、操作性が一層向上する。
【００６３】
請求項４記載の手段によれば、凹条部に沿って指を動かすだけで、複数のタッチスイッチに一度に指を触れることができる。このため、複数のタッチスイッチを視認しながら個別にタッチする必要がなくなるので、操作性が向上し、操作時間が短縮される。
請求項５記載の手段によれば、曲線状をなす凹条部の内底面に沿って複数のタッチスイッチを配置した。このため、凹条部の長さ寸法が短縮されるので、装置が小形化される。
【図面の簡単な説明】
【図１】本発明の第１実施例を示す図（シフトレバーモジュールを示す斜視図）
【図２】要部を拡大して示す斜視図
【図３】操作ノブの取付状態を示す断面図
【図４】スイッチ機構の機能を示す図
【図５】本発明の第２実施例を示す図（操作ボックスを示す図）
【図６】図３相当図
【図７】照明灯を示す図
【図８】本発明の第３実施例を示す図５相当図
【図９】本発明の第４実施例を概略的に示す図
【符号の説明】
１ａは凹条部、４Ａ〜４Ｄは操作ノブ（操作部材）、４ａはオフ操作部（第１の操作部）、４ｂはオン操作部（第２の操作部）、７はスイッチ機構（スイッチ手段）、９ａおよび９ｂはオフ凹条部（第１の凹条部）、９ｃおよび９ｄはオン凹条部（第２の凹条部）、１４はスイッチ本体（スイッチ手段）、１５ａはオフマーク（目印）、１５ｂはオンマーク（目印）、１６は凹条部、１７はタッチスイッチを示す。
【図１】
0003576718.tif 000002
【図２】
0003576718.tif 000003
【図３】
0003576718.tif 000004
【図４】
0003576718.tif 000005
【図５】
0003576718.tif 000006
【図６】
0003576718.tif 000007
【図７】
0003576718.tif 000008
【図８】
0003576718.tif 000009
【図９】
0003576718.tif 000010